(57)【特許請求の範囲】
【請求項１】
電子部品が実装された基板と、
該基板の周縁を囲む枠体と、
該枠体内の前記基板上の空間を分割する複数の仕切り板とを備え、
前記仕切り板の側端面は前記枠体の一側壁と接し、
前記側端面寄りの前記仕切り板の下端面には下方に延びる突起部が設けられ、
前記仕切り板の側端面において、前記突起部よりも上方に凹部が設けられており、
前記基板が該突起部を介して前記枠体に半田付けされるシャーシアングルが設けられた電子機器において、
前記枠体は前記突起部と接する舌片と該舌片を囲うように形成された開口とが形成されており、
前記基板は前記突起部とともに前記舌片に半田付けされることを特徴とする電子機器。
【請求項２】
前記枠体の一側壁に接する前記基板の周縁には、前記突起部と嵌合する切り欠き部が設けられていることを特徴とする請求項１に記載の電子機器。
【請求項３】
前記枠体の任意の一側壁に形成された穴にはアンテナ端子が貫通して固定され、
前記任意の一側壁に固定された該アンテナ端子の両側には、前記仕切り板が隣接して設けられており、
前記任意の一側壁と隣接して設けられた前記仕切り板とは垂直に位置することを特徴とする請求項１または請求項２に記載の電子機器。
【発明の詳細な説明】
【０００１】
【発明の属する技術分野】
本発明はシャーシアングルを有する電子機器に関するものである。さらに詳しくは、テレビジョン受信機やＶＴＲ、衛星放送受信機などに用いられる電子チューナーなどに関する。
【０００２】
【従来の技術】
シャーシアングルを有する電子機器の一例である電子チューナーについて説明する。該電子チューナーは受信アンテナで受信したＶＨＦ帯又はＵＨＦ帯のテレビ信号から希望するチャンネルの信号を選択し、それを中間周波数に変換する回路を備えた電子機器である。
【０００３】
図５は該電子チューナーのブロック図である。テレビ信号が入力されるＡＮＴ-ＩＮ端子(アンテナ端子)２１はＳＷ１に接続されている。入力されたテレビ信号がＵＨＦ帯であると、該ＳＷ１ではＡＮＴ-ＩＮ端子２１側の端子ａは端子ｂに接続され、ＶＨＦ帯であると端子ｃに接続される。
【０００４】
ＳＷ１の端子ｂ側には第１入力回路２２、第１高周波増幅回路２３、第１段間回路２４、第１局部発振回路２５、第１周波数変換回路２６、及びＳＷ２の端子ｂ'が接続されている。また、ＳＷ１の端子ｃ側には第２入力回路２２'、第２高周波増幅回路２３'、第２段間回路２４'、及びＳＷ２の端子ｃ'が接続されている。
【０００５】
該ＳＷ２もＳＷ１と同様に、入力されたテレビ信号がＵＨＦ帯であると端子ｂ'が端子ａ'に接続され、ＶＨＦ帯であると端子ｃ'が端子ａ'に接続される。この端子ａ'側には第２局部発振回路２５'、第２周波数変換回路２６'、中間周波数同調回路２７、及び出力端子２８が接続されている。
【０００６】
上記第１及び第２入力回路２２,２２'はハイパス(高域通過)フィルターを有していて中間周波数に近い妨害波を阻止する。また、バンドパス(帯域通過)フィルターも有していて希望するチャンネルの信号の周波数に同調をとると共に、局部発信周波数や中間周波数の信号が電子チューナー外部に漏れるのを防ぐ。
【０００７】
第１及び第２高周波増幅回路２３,２３'は受信したチャンネル信号を増幅するものである。第１及び第２段間回路２４,２４'はバンドパス(帯域通過)フィルターであり、希望するチャンネル信号の周波数に同調をとると共にそれ以外の信号は減衰させる。第１及び第２局部発振回路２５,２５'は、受信したチャンネル信号より中間周波数分だけ高い周波数の信号(局部発振信号)を発振させる。
【０００８】
第１及び第２周波数変換回路２６,２６'は受信したチャンネル信号と局部発振信号を混合し、その差である中間周波数の信号を出力する。つまり、受信したチャンネル信号を中間周波数の信号に変換する。尚、ＵＨＦチャンネル受信時には第２周波数変換回路２６'は増幅器として働く。中間周波数同調回路２７はバンドパス（帯域通過）フィルターであり、中間周波数に同調させている。
【０００９】
上述した電子チューナーの機械的構成について説明する。図６は該電子チューナーの分解斜視図である。１は基板であり、その上面にはコイルなどの電気部品２が実装されていて、図５に示した構成の回路を形成している。また、３は外部接続用端子である。
【００１０】
４は基板１に取り付けられる金属製のシャーシアングルであって、基板１の周縁を囲む枠体５と該枠体５内の空間を分割する仕切り板６とから成る。このシャーシアングル４によって、第１及び第２局部発振回路２５,２５'(図５参照)の信号が外部に漏れるのを防ぐと共に、外部からの不要信号が電子チューナーの特性に影響するのを防ぐ。また、仕切り板６は各回路が基板１上以外のところで互いに影響しあうのを防ぐために設けられている。
【００１１】
シャーシアングル４の枠体５には、下端縁から切り抜かれることによって下方向に延びる突片３１が形成されている。この突片３１は基板１にシャーシアングル４を半田付けにて固定するとき、枠体５の内側に折り曲げられる。図６中、Ａ-Ａ'線において突片３１が折り曲げられた状態を図７に示す。該突片３１は枠体５の内側に折り曲げられ、基板１の下面と半田７にて接合されている。これによって、基板１にシャーシアングル４(図６参照)が固定される。
【００１２】
また、図６において、シャーシアングル４の枠体５には穴５ａが形成されている。ＡＮＴ-ＩＮ端子２１は該穴５ａに貫通しながら、そこに半田又はかしめにて固定されている。
【００１３】
８,８'は基板１及びシャーシアングル４の組品に上下から取り付けられるシールド蓋である。
【００１４】
【発明が解決しようとする課題】
上述した従来の電子チューナーの機械的構成には次のような問題点があった。即ち、シャーシアングル４を基板１に固定するには、突片３１を折り曲げるという煩雑な作業が必要であった。
【００１５】
また、枠体５に固定されているＡＮＴ-ＩＮ端子２１は、シャーシアングル４を介して外部より伝わる力に対して強度が弱く、破損しやすかった。
【００１６】
本発明は上記課題をかんがみて成されたものであり、組立工程が簡単な電子機器を提供することを目的とする。また、本発明の他の目的はＡＮＴ-ＩＮ端子が破損しにくい電子機器を提供することにある。
【００１７】
【課題を解決するための手段】
上記目的を達成するために、本発明の電子機器は、電子部品が実装された基板と、該基板の周縁を囲む枠体と、該枠体内の前記基板上の空間を分割する複数の仕切り板とを備え、前記仕切り板の側端面は前記枠体の一側壁と接し、前記側端面寄りの前記仕切り板の下端面には下方に延びる突起部が設けられ、前記仕切り板の側端面において、前記突起部よりも上方に凹部が設けられており、前記基板が前記突起部を介して前記枠体に半田付けされるシャーシアングルが設けられた電子機器において、前記枠体は前記突起部と接する舌片と該舌片を囲うように形成された開口とが形成されており、前記基板は前記突起部とともに前記舌片に半田付けされる構成を特徴とする。
仕切り板の側端面に、突起部よりも上方に凹部を形成すると、仕切り板の側端面と枠体との隙間に表面張力によって半田が進入しても、凹部よりも上には進まない。
【００１８】
上記構成の電子機器において、前記枠体の一側壁に接する前記基板の周縁には、前記突起部と嵌合する切り欠き部を設けた構成とするとよい。
【００１９】
このように、突起部を介して基板の下面を枠体の一側壁の内面に半田付けすると、この部分での適正な半田量を確保するための細工が不要となる。
【００２２】
また、枠体の任意の一側壁に形成された穴にはアンテナ端子が貫通して固定され、任意の一側壁に固定された該アンテナ端子の両側には、前記仕切り板が隣接して設けられており、任意の一側壁と隣接して設けられた仕切り板とは垂直に位置する構成とするとよい。仕切り板が設けられていると、シャーシアングルに対して上下方向に力がかかったとき、アンテナ端子に伝わる力は隣接して設けられた仕切り板によって分散する。
【００２３】
【発明の実施の形態】
以下、本発明の実施形態について図面を参照して説明する。図１は本実施形態の電子部品の分解斜視図である。この電子部品も従来技術と同様に、図５に示す構成の回路を形成した基板１の周縁にシャーシアングル４を取り付け、その上下をシールド蓋８,８'で塞いで成るものである。
【００２４】
この電子部品が従来技術と異なる点として、先ず基板１の周縁の数カ所に切り欠き部１ａが設けられており、該切り欠き部１ａの周縁にＧＮＤパターン(図示せず)が形成されている。また、枠体５にはコの字型の開口５ｂが複数形成されている。
【００２５】
また、図１中、円Ｂ内を拡大して図示した図２に示すように、仕切り板６の下端面６ａでは、枠体５の一側壁５ｃの内面に接する側端面６ｂ寄りの端部より突起部６ｃが下方向に延びている。この突起部６ｃは開口５ｂに囲まれた部分(舌片５ｄ)と接しており、突起部６ｃの下端は該舌片５ｄの下端と同じ高さかそれよりも高く位置している。また、仕切り板６の側端面６ｂにおける突起部６ｃの上方には凹部６ｄが形成されている。
【００２６】
基板１(図１参照)のＧＮＤパターン(図示せず)上にクリーム半田を盛ってから、基板１とシャーシアングル４とを組み立てる。このときの円Ｂ内の状態を図３に示す。即ち、基板１の切り欠き部１ａに仕切り板６の突起部６ｃが嵌合し、基板１の周縁は枠体５の一側壁５ｃの内面に接する。この後、リフロー工程を行って基板１とシャーシアングル４とを固定する。
【００２７】
図３中、Ｃ-Ｃ'線での断面を図４に示す。該図に示すように基板１の下面は、下端が該基板１よりも下側に位置した突起部６ｃと共に、枠体５の舌片５ｄに半田付けされている(図中、半田７)。このように、突起部６ｃを介して基板１の下面を枠体５の一側壁５ｃの内面に半田付けすると、この部分での適正な半田量を確保するための細工が不要となる。また、仕切り板６の固定もより強固にできる。
【００２８】
また、枠体５に開口５ｂが設けられていることによって、リフロー工程の際に熱がシャーシアングル４に伝導するのを防止する。従って、シャーシアングル４を介して外に放出される熱量が抑えられ、十分な加熱がなされて半田付けが容易になる。
【００２９】
また、仕切り板６の側端面６ｂにおける突起部６ｃよりも上方に凹部６ｄを設けることで、リフロー工程により側端面６ｂと枠体５の一側壁５ｃとの隙間に流れ込んだ半田７がそれ以上進入しないようにする。これによって、基板１とシャーシアングル４との半田付けが不十分になることを防止する。
【００３０】
また、図１に示すＡＮＴ-ＩＮ端子２１は従来技術と同様に、上述した枠体５の一側壁５ｃとは他の一側壁５ｅに形成された穴５ａに貫通して半田又はかしめにて固定されている。本実施形態では、このＡＮＴ-ＩＮ端子２１の両側に隣接して該一側壁５ｅと垂直に仕切り板６'が渡されている。これによって、シャーシアングル４に力がかかっても、ＡＮＴ-ＩＮ端子２１の周辺ではその力は仕切り板６'にも分散され、ＡＮＴ-ＩＮ端子２１に大きな力は伝わらない。従って、ＡＮＴ-ＩＮ端子２１が破損するおそれがない。
【００３１】
尚、ここでは電子チューナーによる実施形態を説明したが、このほかシャーシアングルを備えた電子機器であれば本発明の構成を適用できるのはもちろんである。
【００３２】
【発明の効果】
以上説明したように、本発明の電子機器では基板とシャーシアングルとを半田付けする際に介在させる部材として仕切り板に突起部を設けている。これは従来技術の突片のように折り曲げる必要がなく、基板とシャーシアングルとを組み立てるだけでよい。従って、煩雑な工程が解消されて生産性が向上する。
【００３３】
また、枠体の半田付けされる部分の周縁に開口を設けることで、リフロー工程の際に熱がシャーシアングルに伝導するのを防止する。これによって、十分な熱によってリフロー工程が行なわれ半田付けを容易にできる。
【００３４】
また、枠体に接する仕切り板の側端面に凹部を設けたことで、該枠体と仕切り板との隙間に多量の半田が流れ込むことを防ぐ。これによって、シャーシアングルと基板の半田付けを確実なものとする。
【００３５】
また、アンテナ端子の両隣に仕切り板を設けることで、アンテナ端子にかかる力を軽減して破損を防止することができる。
【図面の簡単な説明】
【図１】  本発明にかかる電子チューナーの一実施形態を示した分解斜視図である。
【図２】  図１中、円Ｂ内を拡大して示した斜視図である。
【図３】  図２において基板とシャーシアングルとを組み立てた状態を示す斜視図である。
【図４】  図３中、Ｃ-Ｃ’線での断面図である。
【図５】  電子チューナーの一般的な構成を示すブロック図である。
【図６】  従来の電子チューナー示した分解斜視図である。
【図７】  図６中、Ａ-Ａ’線での断面図である。
【符号の説明】
１    基板
１ａ  切り欠き部
４    シャーシアングル
５    枠体
５ｂ  開口
６    仕切り板
６'   仕切り板
６ｃ  突起部
６ｄ  凹部
２１    アンテナ端子
【図１】
0003729708.tif 000002
【図２】
0003729708.tif 000003
【図３】
0003729708.tif 000004
【図４】
0003729708.tif 000005
【図５】
0003729708.tif 000006
【図６】
0003729708.tif 000007
【図７】
0003729708.tif 000008